【手続補正書】
【提出日】平成29年3月31日(2017.3.31)
【手続補正１】
【補正対象書類名】特許請求の範囲
【補正対象項目名】全文
【補正方法】変更
【補正の内容】
【特許請求の範囲】
【請求項１】
液体を貯留する複数の真空弁ユニットと、前記複数の真空弁ユニット内の液体が収集される集液タンク及び前記集液タンクに負圧を導入する真空ポンプを備える真空ステーションと、を備える真空式液体収集装置のための中央監視装置であって、
前記複数の真空弁ユニットにそれぞれ対応して設けられる真空弁の異常を示す真空弁異常検出信号と、前記真空ポンプまたは前記集液タンクの異常を示す真空ステーション異常検出信号と、を受信可能な判定部を備えており、
前記判定部は、前記真空弁異常検出信号及び前記真空ステーション異常検出信号のいずれか一方を受信したとき、前記真空弁異常検出信号及び前記真空ステーション異常検出信号の他方の受信の有無に基づいて、前記真空弁、前記真空弁の開閉状態を検知する真空弁センサ、前記真空ポンプ及び前記集液タンクのいずれかを異常発生箇所として特定する警報信号を通報部に出力可能であり、
前記中央監視装置は、さらに、記憶部を備えており、
前記判定部は、前記判定部に前記真空弁異常検出信号が入力され且つ前記真空ステーション異常検出信号が入力されていない場合に、前記真空弁センサが異常であることを示す真空弁センサ異常信号を前記記憶部に記録し、記録された前記真空弁センサ異常信号を、前記真空弁、前記真空ポンプ及び前記集液タンクのいずれかを異常発生箇所として特定する前記警報信号と同時に前記通報部に出力するように構成される、中央監視装置。
【請求項２】
前記真空弁異常検出信号は、前記真空弁の開状態継続時間が所定時間以上であることを示す弁連続開信号であり、前記真空ステーション異常検出信号は、前記真空ポンプの運転時間が所定時間を超えていることを示す真空ポンプ過剰運転信号または前記集液タンクの気相部の圧力が所定値を超えていることを示す集液タンク真空度低下信号である、請求項１に記載の中央監視装置。
【請求項３】
前記判定部は、前記弁連続開信号を受信し、且つ、前記真空ポンプ過剰運転信号または前記集液タンク真空度低下信号を受信した場合に、少なくとも、前記真空弁が異常であることを示す真空弁異常警報信号を前記通報部に出力するように構成される、請求項２に記載の中央監視装置。
【請求項４】
前記判定部は、前記弁連続開信号を受信し、且つ、前記真空ポンプ過剰運転信号及び前記集液タンク真空度低下信号のいずれも受信していない場合に、前記真空弁センサが異常であることを示す真空弁センサ異常信号を前記記憶部に記録するように構成される、請求項２または３に記載の中央監視装置。
【請求項５】
前記判定部は、前記真空ポンプ過剰運転信号を受信し、且つ、前記弁連続開信号を受信していない場合に、前記真空ポンプが異常であることを示す真空ポンプ過剰運転警報信号を前記通報部に出力するように構成される、請求項２〜４のいずれか一項に記載の中央監視装置。
【請求項６】
前記判定部は、前記集液タンク真空度低下信号を受信し、且つ、前記弁連続開信号を受信していない場合に、前記集液タンクが異常であることを示す集液タンク真空度低下警報信号を前記通報部に出力するように構成される、請求項２〜５のいずれか一項に記載の中央監視装置。
【請求項７】
前記中央監視装置は前記通報部を含む、請求項１〜６のいずれか一項に記載の中央監視装置。
【請求項８】
液体を貯留する複数の真空弁ユニットと、前記複数の真空弁ユニット内の液体が収集される集液タンク及び前記集液タンクに負圧を導入する真空ポンプを備える真空ステーションと、を備える真空式液体収集装置のための監視システムであって、
前記複数の真空弁ユニットの各々に対応して設けられる真空弁の開閉状態を検知する真空弁センサと、
前記真空弁の開状態継続時間を測定し、前記開状態継続時間が所定時間を超えると弁連続開信号を出力する、真空弁異常通報装置と、
前記真空ポンプの運転信号に基づいて前記真空ポンプの運転時間を測定し、前記真空ポンプの運転時間が所定時間を超えると真空ポンプ過剰運転信号を出力する、真空ポンプ制御部と、
前記集液タンクの気相部の圧力を検知する集液タンク圧力センサと、
前記集液タンクの気相部の圧力が所定値を超えると集液タンク真空度低下信号を出力する、集液タンク制御部と、
請求項２〜７のいずれか一項に記載の中央監視装置と、を備える、監視システム。
【請求項９】
液体を貯留する複数の真空弁ユニットと、前記複数の真空弁ユニット内の液体が収集される集液タンク及び前記集液タンクに負圧を導入する真空ポンプを備える真空ステーションと、を備える真空式液体収集装置を監視する方法であって、
前記複数の真空弁ユニットにそれぞれ対応して設けられる真空弁の異常を示す真空弁異常検出信号、及び、前記真空ポンプまたは前記集液タンクの異常を示す真空ステーション異常検出信号のいずれか一方が中央監視装置に入力されたとき、前記中央監視装置が、前記真空弁異常検出信号及び前記真空ステーション異常検出信号の他方の受信の有無に基づいて、前記真空弁、前記真空弁の開閉状態を検知する真空弁センサ、前記真空ポンプ及び前記集液タンクのいずれかを異常発生箇所として特定する警報信号を通報部に出力し、
前記中央監視装置に前記真空弁異常検出信号が入力され且つ前記真空ステーション異常検出信号が入力されていない場合に、前記中央監視装置は、前記真空弁センサが異常であることを示す真空弁センサ異常信号を記憶し、記憶された前記真空弁センサ異常信号を、前記真空弁、前記真空ポンプ及び前記集液タンクのいずれかを異常発生箇所として特定する前記警報信号と同時に前記通報部に出力する、方法。
【請求項１０】
前記真空弁異常検出信号は、前記真空弁の開状態継続時間が所定時間以上であることを示す弁連続開信号であり、前記真空ステーション異常検出信号は、前記真空ポンプの運転時間が所定時間を超えていることを示す真空ポンプ過剰運転信号または前記集液タンクの気相部の圧力が所定値を超えていることを示す集液タンク真空度低下信号である、請求項９に記載の方法。
【請求項１１】
前記真空ポンプ過剰運転信号または前記集液タンク真空度低下信号が前記中央監視装置に入力されたとき、前記弁連続開信号が前記中央監視装置に入力されているか否かを判定する工程と、
前記弁連続開信号が前記中央監視装置に入力されている場合に、少なくとも、前記真空弁が異常であることを示す真空弁異常警報信号を前記通報部に出力する工程と、を備える、請求項１０に記載の方法。
【請求項１２】
前記真空ポンプ過剰運転信号が前記中央監視装置に入力されたとき、前記弁連続開信号が前記中央監視装置に入力されているか否かを判定する工程と、
前記弁連続開信号が前記中央監視装置に入力されていない場合に、前記真空ポンプが異常である真空ポンプ過剰運転警報信号を前記通報部に出力する工程と、を備える、請求項１０または１１に記載の方法。
【請求項１３】
前記集液タンク真空度低下信号が前記中央監視装置に入力されたとき、前記弁連続開信号が前記中央監視装置に入力されているか否かを判定する工程と、
前記弁連続開信号が前記中央監視装置に入力されていない場合に、前記集液タンクが異常であることを示す集液タンク真空度低下警報信号を前記通報部に出力する工程と、を備える、請求項１０〜１２のいずれか一項に記載の方法。
【請求項１４】
前記弁連続開信号が前記中央監視装置に入力されたとき、前記真空ポンプ過剰運転信号が前記中央監視装置に入力されているか否かを判定する工程と、
前記真空ポンプ過剰運転信号が前記中央監視装置に入力されていない場合に、前記集液タンク真空度低下信号が前記中央監視装置に入力されているか否かを判定する工程と、を備えており、
前記真空ポンプ過剰運転信号または前記集液タンク真空度低下信号が前記中央監視装置に入力されている場合に、前記中央監視装置は、前記真空弁が異常であることを示す真空弁異常警報信号を前記通報部に出力する、請求項１０〜１３のいずれか一項に記載の方法。
【請求項１５】
前記弁連続開信号が前記中央監視装置に入力されたとき、前記真空ポンプ過剰運転信号が前記中央監視装置に入力されているか否かを判定する工程と、
前記真空ポンプ過剰運転信号が前記中央監視装置に入力されていない場合に、前記集液タンク真空度低下信号が前記中央監視装置に入力されているか否かを判定する工程と、を備えており、
前記真空ポンプ過剰運転信号及び前記集液タンク真空度低下信号のいずれも前記中央監視装置に入力されていない場合に、前記中央監視装置は、前記真空弁センサが異常であることを示す真空弁センサ異常信号を記憶する、請求項１０〜１４のいずれか一項に記載の方法。
【請求項１６】
前記弁連続開信号が前記中央監視装置に入力されたとき、前記集液タンク真空度低下信号が前記中央監視装置に入力されているか否かを判定する工程と、
前記集液タンク真空度低下信号が前記中央監視装置に入力されていない場合に、前記真空ポンプ過剰運転信号が前記中央監視装置に入力されているか否かを判定する工程と、を備えており、
前記集液タンク真空度低下信号または前記真空ポンプ過剰運転信号が前記中央監視装置に入力されている場合に、前記中央監視装置は、前記真空弁が異常であることを示す真空弁異常警報信号を前記通報部に出力する、請求項１０〜１５に記載の方法。
【請求項１７】
前記弁連続開信号が前記中央監視装置に入力されたとき、前記集液タンク真空度低下信号が前記中央監視装置に入力されているか否かを判定する工程と、
前記集液タンク真空度低下信号が前記中央監視装置に入力されていない場合に、前記真空ポンプ過剰運転信号が前記中央監視装置に入力されているか否かを判定する工程と、を備えており、
前記集液タンク真空度低下信号及び前記真空ポンプ過剰運転信号のいずれも前記中央監視装置に入力されていない場合に、前記中央監視装置は、前記真空弁センサが異常であることを示す真空弁センサ異常信号を記憶する、請求項１０〜１６に記載の方法。
【請求項１８】
前記中央監視装置は前記通報部を含む、請求項９〜１７のいずれか一項に記載の方法。